(57)【要約】【課題】容器本来の性能低下を招くことなく、開封する際に、略直線状に確実に破断することができるパウチ容器を提供する。【解決手段】柔軟性シート１１によって平袋状に形成された容器本体１０と、この容器本体１０の内面側にヒートシールされた一対の破断用テープ２０とから構成されており、内容物が密封包装された容器本体１０を、破断用テープ２０と共に破断することによって、開封するようになっている。破断用テープ２０は、長手方向に引裂性を有する基材層と、この基材層の表裏両面にそれぞれ積層されたシーラント層とから構成されており、容器本体１０における破断部分、即ち、破断する際のきっかけとなる切込１０ａ同士を結ぶ破断ラインを挟むように、幅方向の両側縁が、容器本体１０を形成している柔軟性シート１１、１１の内面側にヒートシールされている。【選択図】        図１
2004276955.tif 000002
【特許請求の範囲】
【請求項１】
内面側にシーラント層が積層された柔軟性シートによって袋状に形成され、幅方向に破断することによって開封される容器本体と、
長手方向に引裂性を有し、前記容器本体のシーラント層に対してヒートシール性のある単層構造または複層構造の破断用テープとを備え、
前記破断用テープは、前記容器本体の内面側における破断部分にヒートシールされていることを特徴とするパウチ容器。
【請求項２】
内面側にシーラント層が積層された柔軟性シートによって袋状に形成され、幅方向に破断することによって開封される容器本体と、
前記容器本体のシーラント層に対してヒートシール性のある単層構造または複層構造の破断用テープとを備え、
前記破断用テープは、前記容器本体における破断部分を挟むように、幅方向の両側部分が前記容器本体の内面側にヒートシールされていることを特徴とするパウチ容器。
【発明の詳細な説明】
【０００１】
【発明の属する技術分野】
この発明は、柔軟性シートによって袋状に形成されたパウチ容器、特に、破断することによって開封されるパウチ容器に関する。
【０００２】
【従来の技術】
この種のパウチ容器としては、例えば、内面側にシーラント層が積層された柔軟性シートを重ね合わせた状態で、その両側縁同士及び下縁同士を相互にヒートシールすることによって、上端に口部を有する平袋状に形成されたものがあり、内容物を収容した後、口部を形成している柔軟性シートの上縁同士を相互にヒートシールすることによって、内容物が密封包装されるようになっている。
【０００３】
また、こういったパウチ容器に密封包装された内容物を取り出す際は、パウチ容器の上端部を幅方向に破断することによって開封するようになっており、開封時に容易に破断することができるように、ヒートシールされた左右両側縁の上部には、ヒートシールされた上縁部分の下側に、破断する際のきっかけとなる切込が形成されている。
【０００４】
また、開封したパウチ容器から内容物を取り出し易くしたり、開封したパウチ容器を再封し易くしたりするために、パウチ容器を開封する際に形成される柔軟性シートの切り口が蛇行湾曲しないように、開封方向に引裂性を有する破断層が積層された柔軟性シートによってパウチ容器を形成したり、引裂性を有する破断用テープをパウチ容器（柔軟性シート）の外表面における破断部分に粘着剤を介して貼着したりするといった手法が一般的に採用されている。
【０００５】
【特許文献１】
実開昭５５−１８４７８号公報
【０００６】
【発明が解決しようとする課題】
しかしながら、開封方向に引裂性を有する破断層が積層された柔軟性シートによってパウチ容器を形成すると、耐衝撃性が低下すると共にピンホールが発生し易くなるといった具合に、パウチ容器を形成している柔軟性シートの物性が低下するといった問題がある。
【０００７】
また、引裂性を有する破断用テープをパウチ容器の外表面における破断部分に粘着剤を介して貼着した場合は、引裂性が付与された柔軟性シートのように、物性が低下することはないが、輸送中にパウチ容器から破断用テープが剥がれてしまったり、長期保管中に粘着剤の劣化（結晶化）によって粘着性が弱くなって、破断用テープが剥がれ易くなるといった問題がある。
【０００８】
そこで、この発明の課題は、容器本来の性能低下を招くことなく、開封する際に、略直線状に確実に破断することができるパウチ容器を提供することにある。
【０００９】
【課題を解決するための手段及びその効果】
上記の課題を解決するため、請求項１にかかる発明は、内面側にシーラント層が積層された柔軟性シートによって袋状に形成され、幅方向に破断することによって開封される容器本体と、長手方向に引裂性を有し、前記容器本体のシーラント層に対してヒートシール性のある単層構造または複層構造の破断用テープとを備え、前記破断用テープは、前記容器本体の内面側における破断部分にヒートシールされていることを特徴とするパウチ容器を提供するものである。
【００１０】
以上のように、このパウチ容器では、長手方向に引裂性を有する破断用テープが、容器本体の内面側における破断部分にヒートシールされているので、パウチ容器を開封する際に形成される柔軟性シートの切り口が蛇行湾曲することがなく、開封したパウチ容器からの内容物の取り出しや、開封したパウチ容器の再封を容易に行うことができる。
【００１１】
さらに、従来のパウチ容器のように、容器本体を形成している柔軟性シート自体が引裂層を有しているわけではないので、容器本来の性能低下を招くことがなく、また、引裂性を有する破断用テープが粘着剤を介して柔軟性シートに貼着されているわけではなく、ヒートシールによって、破断用テープが容器本体に強固に接着されているので、輸送中や長期保管中に破断用テープが容器本体から剥がれることもない。
【００１２】
また、上記の課題を解決するため、請求項２にかかる発明は、内面側にシーラント層が積層された柔軟性シートによって袋状に形成され、幅方向に破断することによって開封される容器本体と、前記容器本体のシーラント層に対してヒートシール性のある単層構造または複層構造の破断用テープとを備え、前記破断用テープは、前記容器本体における破断部分を挟むように、幅方向の両側部分が前記容器本体の内面側にヒートシールされていることを特徴とするパウチ容器を提供するものである。なお、容器本体にヒートシールされている破断用テープの幅方向の両側部分とは、破断用テープにおける破断領域の外側部分という意味であり、破断用テープの幅方向の両側縁に限定されるものではない。従って、容器本体における破断部分を挟むように、破断用テープがヒートシールされていれば、破断用テープの幅方向の両側縁に未シール部分が存在しているものであってもよい。
【００１３】
以上のように、このパウチ容器は、容器本体のシーラント層に対してヒートシール性のある破断用テープが、容器本体における破断部分を挟むように、幅方向の両側部分が容器本体の内面側にヒートシールされているので、特に、破断用テープ自体が、その長手方向に引裂性を有していなくても、破断用テープのヒートシール部分が裂けにくくなるので、パウチ容器を開封する際、破断することによって形成された容器本体の切り口が、破断用テープのヒートシール部分から外側にはみ出すことがなく、容器本体を概ね直線状に破断することができる。
【００１４】
また、このパウチ容器も、請求項１にかかる発明のパウチ容器と同様に、破断用テープが容器本体にヒートシールされているので、容器本来の性能低下を招くことがなく、輸送中や長期保管中に破断用テープが容器本体から剥がれることがないという、請求項１にかかる発明のパウチ容器と同様の効果を得ることができる。
【００１５】
【発明の実施の形態】
以下、実施の形態について図面を参照して説明する。図１〜図４に示すように、このパウチ容器１は、柔軟性シート１１によって平袋状に形成された容器本体１０と、この容器本体１０の内面側における、開封の際に破断される部分にヒートシールされた、５〜３０ｍｍ幅、好ましくは、１０〜２０ｍｍ幅の一対の破断用テープ２０とから構成されており、内容物が密封包装された容器本体１０を、破断用テープ２０と共に破断することによって、開封するようになっている。
【００１６】
前記容器本体１０は、図１（ａ）に示すように、表裏一対の柔軟性シート１１、１１を重ね合わせた状態で、双方の両側縁同士及び下縁同士を相互にヒートシールすることによって、上端に口部を有する袋状に形成されており、内容物を収容した後、同図（ｂ）に示すように、口部を形成している柔軟性シート１１、１１の上縁同士を相互にヒートシールすることによって、内容物が密封包装されるようになっている。なお、同図（ａ）、（ｂ）における網掛け表示部分がヒートシール部分を示している。
【００１７】
また、容器本体１０は、上述したように、内容物を収容して口部をヒートシールしたときに、その上縁ヒートシール部分にかからないように、ヒートシールされた上部両側縁には、一対の切込１０ａ、１０ａが形成されており、開封する際は、この切込１０ａをきっかけとして容器本体１０を破断するようになっている。
【００１８】
容器本体１０を形成している柔軟性シート１１としては、図２に示すように、二軸延伸ポリプロピレンフィルム、二軸延伸ポリアミドフィルム、二軸延伸ポリエステルフィルム等の単層フィルム等からなる厚さ１０〜３０μｍ程度の基材層１１ａと、この基材層１１ａの内面側に積層された未延伸ポリプロピレンフィルムや未延伸ポリエチレンフィルム等からなる厚さ３０〜１５０μｍ程度のシーラント層１１ｂとから構成された２層構造のシートが使用されているが、密封包装される内容物に応じて、基材層１１ａとシーラント層１１ｂとの間に、エチレン・ビニルアルコールコポリマ（ＥＶＯＨ）やアルミホイル、アルミ蒸着フィルム等からなる単層または複層のガスバリア層を設けることも可能である。
【００１９】
前記破断用テープ２０は、図３に示すように、長手方向に引裂性を有する厚さ１０〜３０μｍ、好ましくは、１０〜２０μｍの基材層２１と、この基材層２１の表裏両面にそれぞれ積層された厚さ１０〜６０μｍ、好ましくは、１５〜３０μｍのシーラント層２２、２３とから構成されており、図１及び図４に示すように、容器本体１０における破断部分、即ち、切込１０ａ同士を結ぶ破断ライン（図１に一点鎖線で示す）を挟むように、幅方向の両側縁が、所定幅ｌ（１〜６ｍｍ、好ましくは、３〜６ｍｍ）で、容器本体１０を形成している柔軟性シート１１、１１の内面側にヒートシールされている。従って、破断ラインに対応する破断用テープ２０の幅方向の中央部分は、柔軟性シート１１にヒートシールされていない。なお、基材層２１へのシーラント層２２、２３の積層方法としては、ドライラミネート法や溶融押出しラミネート法等を採用することができる。
【００２０】
前記基材層２１は、良好な直線引裂性が得られるように、長手方向に５〜１５倍に延伸された一軸延伸ポリプロピレンフィルム（例えば、ノーブレンＡＳＳ〔２０μｍ〕：三井化学プラテック（株）製）によって形成されており、シーラント層２２、２３は、柔軟性シート１１を構成しているシーラント層１１ｂと同一の樹脂フィルムによって形成されている。なお、基材層２１は、上述した一軸延伸ポリプロピレンフィルム以外に、主として長手方向に延伸された、ポリアミドフィルム（例えば、ユニアスロンＴＢ〔１５μｍ〕：出光ユニラック（株）製、エンブレムＮＣ〔１５μｍ〕：ユニチカ（株）製）、ポリエステルフィルム（例えば、エンブレットＰＣ〔１２μｍ〕：ユニチカ（株）製）、ポリエチレンフィルム等によって形成することも可能である。
【００２１】
以上のように、このパウチ容器１では、長手方向に引裂性を有する破断用テープ２０が、容器本体１０における破断部分を挟むように、幅方向の両側縁が容器本体１０を形成している柔軟性シート１１、１１の内面側にヒートシールされているので、図５に示すように、パウチ容器１を開封する際に形成される容器本体１０（柔軟性シート１１）の切り口が蛇行湾曲することがなく、開封したパウチ容器１からの内容物の取り出しや、開封したパウチ容器１の再封を容易に行うことができる。
【００２２】
特に、このパウチ容器１は、従来のパウチ容器のように、容器本体１０を形成している柔軟性シート１１自体が引裂性を有しているわけではないので、衝撃強度や耐ピンホール性といった容器本来の性能低下を招くことがなく、また、引裂性を有する破断用テープ２０が、粘着剤を介して柔軟性シート１１に貼着されているわけではなく、ヒートシールによって、柔軟性シート１１に強固に接着されているので、輸送中や長期保管中に破断用テープ２０が容器本体１０から剥がれることもない。
【００２３】
また、容器本体１０を形成している柔軟性シート１１に引裂層を設ける必要がないので、材料コストを削減することができると共に、パウチ容器の総重量も軽くなり、環境面においても優れているという利点がある。
【００２４】
なお、上述した実施形態では、引裂性を有する破断用テープ２０における幅方向の両側縁が、容器本体１０における破断部分を挟むように、容器本体１０（柔軟性シート１１）の内面に所定幅でヒートシールされているが、これに限定されるものではなく、破断用テープ２０の全面を容器本体１０（柔軟性シート１１）の内面にヒートシールすることも可能である。ただし、破断用テープ２０の全面を容器本体１０（柔軟性シート１１）の内面にヒートシールすると、柔軟性シート１１に皺が発生しやすいので、破断用テープ２０の幅方向の両側縁をヒートシールしておくことが望ましい。
【００２５】
また、上述した実施形態では、破断用テープ２０の基材層２１が長手方向に引裂性を有しているが、これに限定されるものではなく、特定の方向に引裂性を有していない、二軸延伸ポリプロピレンフィルム、二軸延伸ポリアミドフィルム、二軸延伸ポリエステルフィルム等によって基材層が形成された破断用テープを使用することも可能である。ただし、こういった破断用テープを使用する場合は、破断用テープの全面を容器本体１０（柔軟性シート１１）の内面にヒートシールするのではなく、破断用テープにおける幅方向の両側部分を、容器本体１０における破断部分を挟むように、容器本体１０（柔軟性シート１１）の内面にヒートシールしておく必要がある。
【００２６】
以上のように、基材層が特定の方向に引裂性を有していない二軸延伸フィルムからなる破断用テープを、容器本体１０における破断部分を挟むように、幅方向の両側部分を容器本体の内面側にヒートシールしておくと、破断用テープ（基材層）自体が、その長手方向に引裂性を有していなくても、破断用テープのヒートシール部分が破断されにくくなるので、パウチ容器を開封する際、破断することによって形成された容器本体１０の切り口が、破断用テープのヒートシール部分から外側にはみ出すことがなく、容器本体１０を概ね直線状に破断することができる。
【００２７】
また、上述した各実施形態では、基材層の表裏両面にシーラント層が積層された複層構造の破断用テープを使用しているが、これに限定されるものではなく、長手方向に延伸されたポリエチレンフィルムやポリプロピレンフィルム等からなる単層構造の破断用テープを使用することも可能である。
【００２８】
また、上述した実施形態では、容器本体１０が平袋形状のパウチ容器１について説明したが、これに限定されるものではなく、容器本体を破断することによって開封するのであれば、容器本体１０がボトムガセット袋やサイドガセット袋といった種々の形状のパウチ容器について、本発明を適用することができる。
【図面の簡単な説明】
【図１】（ａ）はこの発明にかかるパウチ容器の一実施形態を示す正面図、（ｂ）は同上のパウチ容器に内容物を収容して密封包装した状態を示す正面図である。
【図２】同上のパウチ容器を構成している柔軟性シートを示す断面図である。
【図３】同上のパウチ容器を構成している破断用テープを示す断面図である。
【図４】同上のパウチ容器における柔軟性シートに対する破断用テープのヒートシール状態を示す部分断面図である。
【図５】同上のパウチ容器を開封した状態を示す正面図である。
【符号の説明】
１  パウチ容器
１０  容器本体
１０ａ  切込
１１  柔軟性シート
１１ａ  基材層
１１ｂ  シーラント層
２０  破断用テープ
２１  基材層
２２、２３  シーラント層
【図１】
2004276955.tif 000003
【図２】
2004276955.tif 000004
【図３】
2004276955.tif 000005
【図４】
2004276955.tif 000006
【図５】
2004276955.tif 000007